(57)【要約】【課題】本線放送とデータ放送の切り替え時に、オーディオ信号が一時途切れることに伴う視聴者の違和感を緩和できるようにする。【解決手段】本線放送のオーディオストリームを蓄積する本線放送用オーディオ入力バッファ１０７、データ放送のオーディオストリームを蓄積するデータ放送用オーディオ入力バッファ１０８を設け、再生する放送に応じて、本線放送用オーディオ入力バッファ１０７、およびデータ放送用オーディオ入力バッファ１０８のオーディオストリームを選択的にオーディオ復号器１１０に入力する。また、データ放送の再生中は、本線放送用オーディオ入力バッファ１０７からＰＥＳパケット単位でオーディオストリームを破棄する。【選択図】図１
2007110494.tif 000002
【特許請求の範囲】
【請求項１】
本線放送のオーディオストリーム、およびデータ放送のオーディオストリームが少なくとも多重化されている多重化信号を受信するデジタル放送受信機であって、
前記本線放送のオーディオストリームを蓄積する本線放送用オーディオ入力バッファと、
前記データ放送のオーディオストリームを蓄積するデータ放送用オーディオ入力バッファと、
入力されたオーディオストリームを復号化するオーディオ復号器と、
前記本線放送用オーディオ入力バッファ、および前記データ放送用オーディオ入力バッファのうちの何れに蓄積されているオーディオストリームを前記オーディオ復号器に入力するかを切り替えるセレクタと、
入力された制御信号に応じて、前記セレクタの切り替えを制御する制御部と、
を備えたことを特徴とするデジタル放送受信機。
【請求項２】
請求項１のデジタル放送受信機であって、
前記多重化信号は、再生を行う時刻を示す再生時刻情報を含んだものであり、
前記制御部は、前記データ放送が再生されている間は、前記再生時刻情報に応じて再生される単位で、前記本線放送用オーディオ入力バッファに蓄積されているオーディオストリームを破棄するように構成されていることを特徴とするデジタル放送受信機。
【請求項３】
本線放送のオーディオストリーム、およびデータ放送のオーディオストリームが少なくとも多重化されている多重化信号を受信するデジタル放送受信機であって、
前記本線放送のオーディオストリームを蓄積する本線放送用オーディオ入力バッファと、
前記データ放送のオーディオストリームを蓄積するデータ放送用オーディオ入力バッファと、
入力された本線放送のオーディオストリームを復号化する本線放送用オーディオ復号器と、
入力されたデータ放送のオーディオストリームを復号化するデータ放送用オーディオ復号器と、
前記本線放送用オーディオ復号器の出力、および前記データ放送用オーディオ復号器の出力のうちの何れを出力するかを切り替えるセレクタと、
入力された制御信号に応じて、前記セレクタの切り替えを制御する制御部と、
を備えたことを特徴とするデジタル放送受信機。
【請求項４】
請求項３のデジタル放送受信機であって、
前記多重化信号は、再生を行う時刻を示す再生時刻情報を含んだものであり、
前記本線放送用オーディオ復号器は、前記データ放送が再生されている間は、前記再生時刻情報に応じて再生される単位で、入力されたオーディオストリームを破棄するように構成されていることを特徴とするデジタル放送受信機。
【請求項５】
請求項３のデジタル放送受信機であって、
前記本線放送用オーディオ復号器は、前記データ放送が再生されている間は、復号化の単位で、入力されたオーディオストリームを破棄するように構成されていることを特徴とするデジタル放送受信機。
【発明の詳細な説明】
【技術分野】
【０００１】
本発明は、本線放送のオーディオストリーム、およびデータ放送のオーディオストリームが少なくとも多重化されている多重化信号を受信するデジタル放送受信機に関するものである。
【背景技術】
【０００２】
近年では、動画、音声信号の圧縮符号化技術が進歩したため、一般のテレビ放送で使われている動画、音声信号を圧縮符号化した信号を多重化し、デジタル放送として伝送することが可能になった。また、放送波のデジタル化に伴い、さまざまなマルチメディア情報をデータ放送として伝送することが可能となった。
【０００３】
上記のデジタル放送を受信するデジタル放送受信機では、前記の圧縮符号化された信号を復号化するタイミングに制約があるため、受信チャンネルの切り替え時に、映像が途切れて一時提示されないことがあり、視聴者が違和感を感じる場合がある。このため、従来のデジタル放送受信機には、音声は新たに受信したチャンネルのオーディオストリームをオーディオ復号器で復号化して、オーディオ信号として出力する一方、映像としては、予めＥＰＧ（Ｅｌｅｃｔｒｉｃ  Ｐｒｏｇｒａｍ  Ｇｕｉｄｅ：電子番組表）から抽出した情報を映像信号として出力するように構成されたものがある（例えば、特許文献１を参照）。
【０００４】
上記のように構成されたデジタル放送受信機によれば、チャンネル切り替えに伴って映像が途切れて表示されないことによる違和感を緩和させることが可能になる。
【特許文献１】特開２００１−３３９６６３号公報
【発明の開示】
【発明が解決しようとする課題】
【０００５】
デジタル放送受信機には、同じデータが繰り返し伝送されるデータカルーセル方式のデータ放送に対応したり、復号化のタイミングを調整したりする等の目的で、受信した本線放送およびデータ放送のオーディオストリームを一時的に格納するオーディオストリーム用バッファを設けることが考えられる。
【０００６】
しかしながら、このようなオーディオストリーム用バッファを有するデジタル放送受信機では、本線放送とデータ放送との切り替えが行われる場合に、オーディオストリーム用バッファに残っているオーディオストリームを破棄してから、新しいオーディオストリームと入れ替える必要がある。この際、オーディオ復号器へのオーディオストリームの供給が途切れることになり、オーディオ信号が途切れる可能性がある。そして、この場合は、やはり視聴者が違和感を感じる可能性がある。
【０００７】
本発明は、前記の問題に着目してなされたものであり、本線放送とデータ放送の切り替え時に、オーディオ信号が一時途切れることに伴う視聴者の違和感を緩和できるデジタル放送受信機を提供することを目的としている。
【課題を解決するための手段】
【０００８】
前記の課題を解決するため、請求項１の発明は、
本線放送のオーディオストリーム、およびデータ放送のオーディオストリームが少なくとも多重化されている多重化信号を受信するデジタル放送受信機であって、
前記本線放送のオーディオストリームを蓄積する本線放送用オーディオ入力バッファと、
前記データ放送のオーディオストリームを蓄積するデータ放送用オーディオ入力バッファと、
入力されたオーディオストリームを復号化するオーディオ復号器と、
前記本線放送用オーディオ入力バッファ、および前記データ放送用オーディオ入力バッファのうちの何れに蓄積されているオーディオストリームを前記オーディオ復号器に入力するかを切り替えるセレクタと、
入力された制御信号に応じて、前記セレクタの切り替えを制御する制御部と、
を備えたことを特徴とする。
【０００９】
また、請求項２の発明は、
請求項１のデジタル放送受信機であって、
前記多重化信号は、再生を行う時刻を示す再生時刻情報を含んだものであり、
前記制御部は、前記データ放送が再生されている間は、前記再生時刻情報に応じて再生される単位で、前記本線放送用オーディオ入力バッファに蓄積されているオーディオストリームを破棄するように構成されていることを特徴とする。
【００１０】
これらにより、本線放送とデータ放送の間で再生対象を切り替える場合に、オーディオ信号が一時途切れることに伴う視聴者の違和感を緩和できる。
【００１１】
また、請求項３の発明は、
本線放送のオーディオストリーム、およびデータ放送のオーディオストリームが少なくとも多重化されている多重化信号を受信するデジタル放送受信機であって、
前記本線放送のオーディオストリームを蓄積する本線放送用オーディオ入力バッファと、
前記データ放送のオーディオストリームを蓄積するデータ放送用オーディオ入力バッファと、
入力された本線放送のオーディオストリームを復号化する本線放送用オーディオ復号器と、
入力されたデータ放送のオーディオストリームを復号化するデータ放送用オーディオ復号器と、
前記本線放送用オーディオ復号器の出力、および前記データ放送用オーディオ復号器の出力のうちの何れを出力するかを切り替えるセレクタと、
入力された制御信号に応じて、前記セレクタの切り替えを制御する制御部と、
を備えたことを特徴とする。
【００１２】
また、請求項４の発明は、
請求項３のデジタル放送受信機であって、
前記多重化信号は、再生を行う時刻を示す再生時刻情報を含んだものであり、
前記本線放送用オーディオ復号器は、前記データ放送が再生されている間は、前記再生時刻情報に応じて再生される単位で、入力されたオーディオストリームを破棄するように構成されていることを特徴とする。
【００１３】
これらにより、本線放送とデータ放送の間で再生対象を切り替える場合に生じる無音期間をより短くすることが可能になる。
【００１４】
また、請求項５の発明は、
請求項３のデジタル放送受信機であって、
前記本線放送用オーディオ復号器は、前記データ放送が再生されている間は、復号化の単位で、入力されたオーディオストリームを破棄するように構成されていることを特徴とする。
【００１５】
これにより、復号化の単位でオーディオストリームが破棄されるので、制御部の負荷を小さくすることが可能になる。
【発明の効果】
【００１６】
本発明によれば、本線放送とデータ放送の切り替え時に、オーディオ信号が一時途切れることに伴う視聴者の違和感を緩和できる。
【発明を実施するための最良の形態】
【００１７】
以下、本発明の実施形態として、ＭＰＥＧ２（ＭＰＥＧ：Ｍｏｖｉｎｇ  Ｐｉｃｔｕｒｅｓ  Ｅｘｐｅｒｔｓ  Ｇｒｏｕｐ）の規格に基づいて、少なくとも本線放送の映像と音声、およびデータ放送の音声が符号化された後に多重化されて伝送されててきた多重化信号を受信するデジタル放送受信機の例を図面を参照しながら説明する。
【００１８】
《発明の実施形態１》
（実施形態１に係るデジタル放送受信機の構成）
図１は、本発明の実施形態１に係るデジタル放送受信機１００の構成を示すブロック図である。デジタル放送受信機１００は、図１に示すように、アンテナ１０１、チューナー１０２、操作部１０３、システム制御部１０４、多重分離部１０５、データバッファ１０６、本線放送用オーディオ入力バッファ１０７、データ放送用オーディオ入力バッファ１０８、セレクタ１０９、オーディオ復号器１１０、オーディオ出力バッファ１１１、スピーカ１１２、ビデオ入力バッファ１１３、ビデオ復号器１１４、ビデオ出力バッファ１１５、およびディスプレイ１１６を備えて構成されている。
【００１９】
アンテナ１０１は、デジタル放送を受信するためのアンテナである。
【００２０】
チューナー１０２は、アンテナ１０１で受信したデジタル放送を前記多重化信号に復調するようになっている。
【００２１】
操作部１０３は、ユーザが操作するスイッチなどを備えて構成され、ユーザによる例えばデータ放送再生開始などの指示を受け付けるとともに、受け付けた指示に応じた制御信号をシステム制御部１０４に出力するようになっている。
【００２２】
システム制御部１０４は、操作部１０３が出力した制御信号に応じて、本線放送とデータ放送の再生を制御するようになっている。具体的には、システム制御部１０４は、セレクタ１０９の切り替え制御や、ビデオ復号器１１４とオーディオ復号器１１０における復号化タイミングを制御するようになっている。また、システム制御部１０４は、データ放送の再生中には、本線放送用オーディオ入力バッファ１０７に格納されているオーディオストリームをＭＰＥＧ２規格におけるＰＥＳ（Ｐａｃｋｅｔｉｚｅｄ  Ｅｌｅｍｅｎｔａｒｙ  Ｓｔｒｅａｍ）パケット単位で破棄するようになっている。
【００２３】
ここでＰＥＳパケットとは、オーディオストリームやビデオストリームをある再生の単位でパケット化したもので、再生の時間管理を行う単位である。オーディオストリームを含んだＰＥＳパケットでは、１つのパケットあたり数個の圧縮符号化単位（この単位をオーディオフレームと呼ぶ）の音声データを含んでいる。
【００２４】
また、ＰＥＳパケットには、ＰＣＲ（Ｐｒｏｇｒａｍ  Ｃｌｏｃｋ  Ｒｅｆｅｒｅｎｃｅ）やＰＴＳ（Ｐｒｅｓｅｎｔａｔｉｏｎ  Ｔｉｍｅ  Ｓｔａｍｐ）などの時刻情報を含むシステム情報が含まれている。ここで、ＰＴＳは再生を行う時刻を示す情報である。本線放送のストリーム（オーディオ、およびビデオ）は、このＰＴＳで示される時刻（ＰＴＳ時刻）に基づいて、ＰＥＳパケット単位で再生のタイミングが決定されて再生される。一方、同じデータが繰り返し伝送されるデータカルーセル方式のデータ放送のストリームは、ＰＴＳ時刻とは関係なく再生される。
【００２５】
多重分離部１０５は、本線放送については、ビデオストリームとオーディオストリームとに振り分けを行い、それぞれをビデオ入力バッファ１１３と本線放送用オーディオ入力バッファ１０７とに出力するようになっている。
【００２６】
また、多重分離部１０５は、前記システム情報（ＰＣＲやＰＴＳなどの時刻情報を含む情報）をシステム制御部１０４に出力するようになっている。
【００２７】
さらに、多重分離部１０５は、データ放送に含まれるデータをデータバッファ１０６に出力するようになっている。
【００２８】
データバッファ１０６は、多重分離部１０５で振り分けられたデータ放送のデータが格納されるバッファである。デジタル放送受信機１００では、受信するデータ放送は複数チャンネル分あり、データバッファ１０６は、それぞれのデータ放送チャンネルのデータが格納されるようになっている。
【００２９】
本線放送用オーディオ入力バッファ１０７は、多重分離部１０５で振り分けられた本線放送のオーディオストリームが格納されるようになっている。
【００３０】
データ放送用オーディオ入力バッファ１０８は、データバッファ１０６の複数チャンネル分のデータのうち、システム制御部１０４の制御に応じて選択されたデータ放送チャンネル（例えばユーザが操作部１０３を介して選択したデータ放送チャンネル）のオーディオストリームが格納されるようになっている。
【００３１】
セレクタ１０９は、システム制御部１０４の制御に応じて、本線放送用オーディオ入力バッファ１０７およびデータ放送用オーディオ入力バッファ１０８の何れに格納されているオーディオストリームをオーディオ復号器１１０に入力するかを切り替えるようになっている。
【００３２】
オーディオ復号器１１０は、入力されたオーディオストリームをシステム制御部１０４の制御に応じて復号化し、オーディオ信号として出力するようになっている。なお、オーディオ復号器１１０は、復号化をオーディオフレーム単位で行うようになっている。
【００３３】
オーディオ出力バッファ１１１は、オーディオ復号器１１０が出力したオーディオ信号を格納するようになっている。
【００３４】
スピーカ１１２は、オーディオ出力バッファ１１１に格納されているオーディオ信号を再生するようになっている。
【００３５】
ビデオ入力バッファ１１３は、多重分離部１０５で振り分けられた本線放送のビデオストリームが格納されるようになっている。
【００３６】
ビデオ復号器１１４は、入力されたビデオストリームをシステム制御部１０４の制御に応じて復号化し、ビデオ信号としてビデオ出力バッファ１１５に出力するようになっている。
【００３７】
ビデオ出力バッファ１１５は、ビデオ復号器１１４が出力したビデオ信号を格納するようになっている。
【００３８】
ディスプレイ１１６は、ビデオ出力バッファ１１５に格納されているビデオ信号を映像として表示するようになっている。
【００３９】
（デジタル放送受信機１００の動作）
例えば電源が投入された後等に、初めに本線放送が再生されるとすれば、上記のデジタル放送受信機１００は以下のように動作する。
【００４０】
まず、アンテナ１０１が受信したデジタル放送は、チューナー１０２において前記多重化信号に復調されて多重分離部１０５に入力される。多重分離部１０５は、前記多重化信号をビデオストリームとオーディオストリームとに振り分け、それぞれをビデオ入力バッファ１１３と本線放送用オーディオ入力バッファ１０７とに出力する。また、多重分離部１０５は、前記時刻情報（ＰＣＲ、ＰＴＳなど）を含むシステム情報をシステム制御部１０４に出力するとともに、データ放送に含まれるデータをデータバッファ１０６に出力する。ビデオ入力バッファ１１３に格納されたビデオストリームは、ビデオ復号器１１４で復号化され、ビデオ信号としてビデオ出力バッファ１１５を介してディスプレイ１１６に出力される。
【００４１】
また、システム制御部１０４は、本線放送用オーディオ入力バッファ１０７に格納されているオーディオストリームがオーディオ復号器１１０に入力されるようにセレクタ１０９を切り替える。これにより、本線放送のオーディオストリームは、オーディオ復号器１１０で復号化され、オーディオ出力バッファ１１１を介してオーディオ信号としてスピーカ１１２に出力される。
【００４２】
（本線放送からデータ放送へ切り替える場合）
次に、上記のように本線放送を再生している状態からデータ放送を再生する状態に切り替える場合の動作を図２のフローチャート（ステップＳ１０１〜Ｓ１０７）、および図３のタイミングチャートを参照しながら説明する。
【００４３】
上記の切り替えは、ユーザが操作部１０３を操作することなどによって開始される（図２のＳ１０１を参照）。例えば図３に示すＴ１０１のタイミングで、操作部１０３がユーザからのデータ放送再生開始の指示を受信すると、システム制御部１０４はデータバッファ１０６からデータ放送用オーディオ入力バッファ１０８へデータ放送のオーディオストリームの転送を開始する（Ｓ１０２〜Ｓ１０３）。さらにシステム制御部１０４は、Ｔ１０３のタイミングで、データ放送用オーディオ入力バッファ１０８に格納されたオーディオストリームがオーディオ復号器１１０に入力されるように、セレクタ１０９に対して切り替え制御を行う（Ｓ１０４）。データ放送のオーディオストリームは、ＰＴＳ時刻に合わせて復号化を開始する必要がないので、オーディオ復号器１１０は、直ちに入力されたオーディオストリームの復号化を開始して出力する（Ｓ１０６）。これにより、データ放送のオーディオストリームは、オーディオ出力バッファ１１１を介して、オーディオ信号としてスピーカ１１２に出力される。
【００４４】
一方、伝送されてくる本線放送のオーディオストリームには、ＰＥＳパケット単位でＰＴＳ値が付与されているので、システム制御部１０４はデータ放送の再生中はＰＴＳ時刻に合わせて、本線放送用オーディオ入力バッファ１０７のリードポインタを進めるなどの手段により、本線放送用オーディオ入力バッファ１０７に格納されている本線放送のオーディオストリームをＰＥＳパケット単位で破棄する（Ｓ１０５）。図３の例では、Ｔ１０２のタイミングからオーディオストリームの破棄が行われている。データ放送の再生中は、上記のＳ１０５〜Ｓ１０６の処理がくり返される（Ｓ１０７）。
【００４５】
上記のように本実施形態では、本線放送からデータ放送への切り替え時は、オーディオ復号器１１０への入力をセレクタ１０９で切り替えると直ちにデータ放送のオーディオストリームを復号化して、オーディオ信号として出力することができる。
【００４６】
（データ放送から本線放送へ切り替える場合）
次に、上記のようにデータ放送再生している状態から、本線放送を再生する状態に切り替える場合の動作を図４のフローチャート（ステップＳ２０１〜Ｓ２０５）、および図５のタイミングチャートを参照しながら説明する。
【００４７】
例えば図５に示すＴ２０１のタイミングで、操作部１０３がユーザからのデータ放送再生停止の指示（Ｓ２０１）を受信すると、システム制御部１０４は、Ｔ２０３のタイミングで、本線放送用オーディオ入力バッファ１０７に格納されたオーディオストリームがオーディオ復号器１１０に入力されるように、セレクタ１０９に対して切り替え制御を行う（図４のＳ２０２〜Ｓ２０３）。
【００４８】
システム制御部１０４は、多重分離部１０５から入力されたＰＴＳ時刻を用いて、復号開始時刻を決定し、決定した時刻（図５のＴ２０４）からオーディオ復号器１１０に復号化を開始させる（Ｓ２０４〜Ｓ２０５）。この場合、本線放送用オーディオ入力バッファ１０７のオーディオストリーム（本線放送のオーディオストリーム）は、上記のようにデータ放送の再生中に、ＰＴＳ時刻に合わせてＰＥＳパケット単位で破棄されているので、データ放送から本線放送への切り替え制御タイミングに、本線放送用オーディオ入力バッファ１０７から読み出す本線放送のオーディオストリームのＰＴＳ時刻は、復号開始時刻にほぼ一致している。すなわち、１つのＰＥＳパケットには数個のオーディオフレームが入っているので、ここでの時間のずれは数フレーム分の出力時間となる。この程度のずれであれば、視聴者が違和感を感じるほどの長さではない。
【００４９】
上記のように、本実施形態によれば、本線放送とデータ放送の切り替え時に、オーディオ信号が途切れることにより視聴者に与える違和感を緩和できる。
【００５０】
《発明の実施形態２》
図６は、本発明の実施形態２に係るデジタル放送受信機２００の構成を示すブロック図である。デジタル放送受信機２００は、アンテナ１０１、チューナー１０２、操作部１０３、多重分離部１０５、データバッファ１０６、本線放送用オーディオ入力バッファ１０７、データ放送用オーディオ入力バッファ１０８、スピーカ１１２、ビデオ入力バッファ１１３、ビデオ復号器１１４、ビデオ出力バッファ１１５、ディスプレイ１１６、システム制御部２０１、本線放送用オーディオ復号器２０２、データ放送用オーディオ復号器２０３、本線放送用オーディオ出力バッファ２０４、データ放送用オーディオ出力バッファ２０５、およびセレクタ２０６を備えて構成されている。なお、以下の説明において前記実施形態１と同様の機能を有する構成要素については、同一の符号を付して説明を省略する。
【００５１】
システム制御部２０１は、操作部１０３が出力した制御信号に応じて、本線放送とデータ放送の再生を後述するように制御するようになっている。
【００５２】
本線放送用オーディオ復号器２０２は、システム制御部２０１の制御に応じて、本線放送用オーディオ入力バッファ１０７から入力された本線放送のオーディオストリームの復号化、または破棄を行うようになっている。
【００５３】
詳しくは、本線放送用オーディオ復号器２０２は、システム制御部２０１から本線放送の再生中であることを示す制御信号が入力された場合には、本線放送用オーディオ入力バッファ１０７を介して入力されたオーディオストリームをオーディオフレーム単位で復号化してオーディオ信号として出力する一方、データ放送の再生中であることを示す制御信号が入力された場合には、本線放送用オーディオ入力バッファ１０７を介して入力されたオーディオストリームをオーディオフレーム単位（すなわち復号化が行われる単位）で破棄する。
【００５４】
データ放送用オーディオ復号器２０３は、データ放送用オーディオ入力バッファ１０８に格納されているデータ放送のオーディオストリームをオーディオフレーム単位で復号化してオーディオ信号として出力するようになっている。
【００５５】
本線放送用オーディオ出力バッファ２０４は、本線放送用オーディオ復号器２０２の出力を一時格納するようになっている。
【００５６】
データ放送用オーディオ出力バッファ２０５は、データ放送用オーディオ復号器２０３の出力を一時格納するようになっている。
【００５７】
セレクタ２０６は、システム制御部２０１の制御に応じて、本線放送用オーディオ出力バッファ２０４およびデータ放送用オーディオ出力バッファ２０５の何れに格納されているオーディオ信号をスピーカ１１２に出力するかを切り替えるようになっている。
【００５８】
（デジタル放送受信機２００の動作）
例えば電源が投入された後等に、初めに本線放送が再生されるとすれば、上記のデジタル放送受信機２００は以下のように動作する。
【００５９】
まず、アンテナ１０１が受信したデジタル放送は、チューナー１０２において前記多重化信号に復調されて多重分離部１０５に入力される。多重分離部１０５は、前記多重化信号をビデオストリームとオーディオストリームとに振り分け、それぞれをビデオ入力バッファ１１３と本線放送用オーディオ入力バッファ１０７とに出力する。また、多重分離部１０５は、前記時刻情報（ＰＣＲ、ＰＴＳなど）を含むシステム情報をシステム制御部２０１に出力するとともに、データ放送に含まれるデータをデータバッファ１０６に出力する。
【００６０】
ビデオ入力バッファ１１３に格納されたビデオストリームは、ビデオ復号器１１４で復号化され、ビデオ信号としてビデオ出力バッファ１１５を介してディスプレイ１１６に出力される。
【００６１】
また、本線放送用オーディオ復号器２０２は、本線放送用オーディオ入力バッファ１０７に格納されているオーディオストリーム（本線放送のオーディオストリーム）を復号化して、オーディオ信号として本線放送用オーディオ出力バッファ２０４に格納する。本線放送用オーディオ出力バッファ２０４に格納されたオーディオ信号は、システム制御部２０１がセレクタ２０６を制御することによって、スピーカ１１２に出力される。
【００６２】
（本線放送からデータ放送へ切り替える場合）
次に、上記のように本線放送を再生している状態からデータ放送を再生する状態に切り替わる場合の動作を図７のフローチャート（ステップＳ３０１〜Ｓ３０８）、および図８のタイミングチャートを参照しながら説明する。
【００６３】
上記の切り替えは、ユーザが操作部１０３を操作することなどによって開始される（Ｓ３０１）。例えば図８に示すＴ３０１のタイミングで、操作部１０３がユーザからのデータ放送再生開始の指示を受信すると、システム制御部２０１は、データバッファ１０６からデータ放送用オーディオ入力バッファ１０８へデータ放送のオーディオストリームの転送を開始する（Ｓ３０２〜Ｓ３０３）。データ放送用オーディオ復号器２０３は、データ放送用オーディオ入力バッファ１０８にデータが転送された後（例えば図８のＴ３０２のタイミング）に、データ放送用オーディオ入力バッファ１０８のオーディオストリームの１オーディオフレーム分を復号化してデータ放送用オーディオ出力バッファ２０５に出力する（Ｓ３０４）。この場合の復号化もやはり、ＰＴＳ時刻に合わせる必要がないので、オーディオストリームが入力されると直ちに復号化を開始することができる。また、システム制御部２０１は、これと同時に、データ放送用オーディオ出力バッファ２０５に格納されているオーディオ信号がスピーカ１１２に出力されるようにセレクタ２０６を切り替える（Ｓ３０５）。これにより、スピーカ１１２には、本線放送のオーディオ信号の続きにデータ放送のオーディオ信号が出力される。
【００６４】
一方、システム制御部２０１は、本線放送用オーディオ復号器２０２を制御することによって、伝送されてくる本線放送のオーディオストリームをＰＴＳ時刻に合わせ、フレーム単位で破棄する（Ｓ３０６）。さらに残りのデータ放送のオーディオストリームの復号化と、本線放送の不要なオーディオストリームの破棄がデータ放送の再生停止が指示されるまで繰り返される（Ｓ３０６〜Ｓ３０８）。
【００６５】
（データ放送から本線放送へ切り替える場合）
次に、上記のようにデータ放送再生している状態から本線放送を再生する状態に切り替える場合の動作を図９のフローチャート（ステップＳ４０１〜Ｓ４０６）、および図１０のタイミングチャートを参照しながら説明する。
【００６６】
この切り替えもユーザが操作部１０３を操作することなどによって開始される（Ｓ４０１）。例えば図１０に示すＴ４０１のタイミングで、操作部１０３がユーザからのデータ放送再生停止の指示を受信すると（Ｓ４０２）、システム制御部２０１は、本線放送用オーディオ復号器２０２に１オーディオフレーム分の本線放送のオーディオストリームの復号化をさせて、オーディオ信号を本線放送用オーディオ出力バッファ２０４に出力させる（Ｓ４０３）。さらにシステム制御部２０１は、Ｔ４０２のタイミングで、本線放送用オーディオ出力バッファ２０４に格納されているオーディオ信号がスピーカ１１２に出力されるようにセレクタ２０６を切り替える（Ｓ４０４）。これにより、スピーカ１１２にはデータ放送のオーディオ信号の続きに本線放送のオーディオ信号が入力される。
【００６７】
さらに残りの本線放送のオーディオストリームの復号化が、データ放送への切り替えが指示されるまで繰り返される（Ｓ４０５〜Ｓ４０６）。
【００６８】
上記のように、本実施形態では、データ放送の再生中にＰＴＳ時刻に応じて本線放送ストリームを破棄するため、データ放送から本線放送へ切り替えるタイミングに、本線放送用オーディオ入力バッファ１０７から出力される本線放送のオーディオストリームは、ＰＴＳ時刻が復号開始時刻にほぼ一致している。すなわち、本線ストリームの復号開始時刻までの待ち時間が不要となる。
【００６９】
しかも、本実施形態は、実施形態１のデジタル放送受信機１００と比べ、データ放送から本線放送への切り替え時に、所定のＰＴＳ時刻まで待つ必要がない分、より高速な切り替えが可能になる。すなわちデジタル放送受信機２００は、特に切り替え時間の要求などが厳しい仕様が要求される応用に適している。ちなみに、実施形態１のデジタル放送受信機１００は、デジタル放送受信機２００と比べ、オーディオ出力のためのバッファの規模が小さい。すなわちデジタル放送受信機１００は、よりハードウエア資源を削減したい携帯端末などの応用に適している。
【００７０】
なお、デジタル放送受信機２００においては、データ放送用オーディオ復号器２０３と本線放送用オーディオ復号器２０２を共通とする構成にしてもよい。この場合は、データ放送のオーディオストリームの復号化処理を行った後のあまった処理時間で、本線放送のオーディオストリームの破棄を行うようにすればよい。
【００７１】
また、デジタル放送受信機２００においては、必ずしもＰＴＳ時刻に合わせてオーディオストリームを破棄する必要はない。ＰＴＳ時刻を読み取れるのはシステム制御部２０１なので、上記のようにＰＴＳ時刻でオーディオストリームを破棄するする場合は、システム制御部２０１の関与が必要になる。しかし、復号化の単位での破棄であれば、データ放送の再生中であることさえわかれば、本線放送用オーディオ復号器２０２だけでオーディオストリームの破棄を行える。すなわち、システム制御部２０１の負荷を小さくすることが可能になる。
【００７２】
また、デジタル放送受信機１００、およびデジタル放送受信機２００においては、データ放送用オーディオ入力バッファ１０８を省略し、データバッファ１０６から直接オーディオ復号器へオーディオストリームを供給するように構成してもよい。
【産業上の利用可能性】
【００７３】
本発明に係るデジタル放送受信機は、本線放送とデータ放送の切り替え時に、オーディオ信号が一時途切れることに伴う視聴者の違和感を緩和できるという効果を有し、本線放送のオーディオストリーム、およびデータ放送のオーディオストリームが少なくとも多重化されている多重化信号を受信するデジタル放送受信機等として有用である。
【図面の簡単な説明】
【００７４】
【図１】実施形態１に係るデジタル放送受信機の構成を示すブロック図である。
【図２】実施形態１に係るデジタル放送受信機において、本線放送からデータ放送へ切り替える場合のフローチャートである。
【図３】実施形態１に係るデジタル放送受信機において、本線放送からデータ放送へ切り替える場合のタイミングチャートである。
【図４】実施形態１に係るデジタル放送受信機において、データ放送から本線放送へ切り替える場合のフローチャートである。
【図５】実施形態１に係るデジタル放送受信機において、データ放送から本線放送へ切り替える場合のタイミングチャートである。
【図６】実施形態２に係るデジタル放送受信機の構成を示すブロック図である。
【図７】実施形態１に係るデジタル放送受信機において、本線放送からデータ放送へ切り替える場合のフローチャートである。
【図８】実施形態１に係るデジタル放送受信機において、本線放送からデータ放送へ切り替える場合のタイミングチャートである。
【図９】実施形態２に係るデジタル放送受信機において、データ放送から本線放送へ切り替える場合のフローチャートである。
【図１０】実施形態２に係るデジタル放送受信機において、データ放送から本線放送へ切り替える場合のタイミングチャートである。
【符号の説明】
【００７５】
１００      デジタル放送受信機
１０１      アンテナ
１０２      チューナー
１０３      操作部
１０４      システム制御部
１０５      多重分離部
１０６      データバッファ
１０７      本線放送用オーディオ入力バッファ
１０８      データ放送用オーディオ入力バッファ
１０９      セレクタ
１１０      オーディオ復号器
１１１      オーディオ出力バッファ
１１２      スピーカ
１１３      ビデオ入力バッファ
１１４      ビデオ復号器
１１５      ビデオ出力バッファ
１１６      ディスプレイ
２００      デジタル放送受信機
２０１      システム制御部
２０２      本線放送用オーディオ復号器
２０３      データ放送用オーディオ復号器
２０４      本線放送用オーディオ出力バッファ
２０５      データ放送用オーディオ出力バッファ
２０６      セレクタ
【図１】
2007110494.tif 000003
【図２】
2007110494.tif 000004
【図３】
2007110494.tif 000005
【図４】
2007110494.tif 000006
【図５】
2007110494.tif 000007
【図６】
2007110494.tif 000008
【図７】
2007110494.tif 000009
【図８】
2007110494.tif 000010
【図９】
2007110494.tif 000011
【図１０】
2007110494.tif 000012